(57)【特許請求の範囲】
【請求項１】
底板からなる曲率調節可能な背板であって、
前記底板はバイメタル製であり、
前記底板の長手方向または幅方向には細長い長方形状の切れ目が複数設けられており、
このとき、
前記複数の切れ目が一筋の列をなすように設けられて切れ目列が構成され、
さらに、前記切れ目列が複数設けられていて、かつ、複数の前記切れ目列は互いに平行になるように設けられている
ことを特徴とする曲率調節可能な背板。
【請求項２】
請求項１に記載の曲率調節可能な背板において、
一本の前記切れ目列の一方の端から他方の端までの長さを前記切れ目列の長さとし、前記切れ目の幅を前記切れ目列の幅とするとき、
前記切れ目列のアスペクト比が１０対１以上である
ことを特徴とする曲率調節可能な背板。
【請求項３】
請求項１または請求項２に記載の曲率調節可能な背板において、
前記切れ目の幅が５ミリ以下で、各切れ目がどれも細長い長方形である
ことを特徴とする曲率調節可能な背板。
【請求項４】
請求項１から請求項3のいずれかに記載の曲率調節可能な背板と、
前記背板内に設けられた光学部材と、
前記背板内に設けられたバックライトと、
前記バックライトの上方に設けられたプラスチックフレームと、
前記プラスチックフレーム上に設けられた液晶パネルと、
前記液晶パネルを前記プラスチックフレーム上に固定しているフロントフレームと、を備える
ことを特徴とする液晶表示装置。
【発明の詳細な説明】
【技術分野】
【０００１】
本発明は液晶表示の技術分野に関し、特に曲率を調節できる背板及び前記背板を備えた液晶表示に関する。
【背景技術】
【０００２】
液晶表示装置（Ｌｉｑｕｉｄ  Ｃｒｙｓｔａｌ  Ｄｉｓｐｌａｙ，ＬＣＤ）は、機体が薄く、省エネで、放射線が出ない等多くの長所があるため、液晶テレビ、携帯電話、携帯情報端末、デジタルカメラ、コンピューターのスクリーン、ノートパソコンのスクリーン等に、幅広く適用されている。
【０００３】
通常液晶表示装置は、筐体からなり、筐体内の液晶パネル及び筐体内のバックライトユニット（Ｂａｃｋｌｉｇｈｔ  ｍｏｄｕｌｅ）に設けられる。液晶パネルの作動原理は、二枚の平行したガラス基板の中に液晶分子を置き、二枚のガラス基板の間には垂直の極細電線と水平な極細電線が多くあり、通電の有無によって液晶分子の変化する方向を制御し、バックライトユニットの光線が屈折して出ることで画面が現れる。バックライトユニットは、光源の入射位置の違いによってエッジライト型バックライトユニットと直下型バックライトユニットの二種類に分けられる。直下型方式のバックライトユニットは、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）または発光ダイオード（Ｌｉｇｈｔ  Ｅｍｉｔｔｉｎｇ  Ｄｉｏｄｅ，ＬＥＤ）といったバックライトを液晶パネルの後ろに設け、光源が拡散板によって均一化された後、面光源を形成し、面光源が液晶パネルに供給される。エッジライト型バックライトユニットは、バックライトであるＬＥＤバー（Ｌｉｇｈｔ  ｂａｒ）が液晶パネル側面の後ろの背板の縁に設けられ、ＬＥＤバーが出す光線は導光板（Ｌｉｇｈｔ  Ｇｕｉｄｅ  Ｐｌａｔｅ，ＬＧＰ）の一側の入光面から導光板に入り、反射拡散後、導光板から出光面が射出することによって、再び光学フィルムセットを通り、面光源を形成し、面光源が液晶パネルに供給される。
【０００４】
近年、表示技術の発展に伴い、各大手製造業者は次々に曲面テレビ等の曲面表示装置を発売している。概して、曲面表示装置は、スクリーンの中央から縁にかけてどの部分でも最良の視覚効果を提供するのに対し、一般の表示装置は、スクリーンの縁の部分における効果が理想的ではなかった。曲面表示装置のスクリーン全体は、アーチ形に設計されており、広々としたフルスクリーン映像効果を提供することができる。スクリーンの中央であろうと四隅であろうと、どの部分でも同じように見ることができるとともに、近距離で見る時の軸ずれによる歪みが減少される。また、曲面表示装置は、使用者の鑑賞距離を引き延ばし、さらに質の高い鑑賞を達成することができる。これによって、一般の表示装置に比べ、曲面表示装置には、１、製品の差別化、２、更に広い可視角度、３、近距離で見る時の歪みの減少といった、大きな優位性がある。
【０００５】
現在ある曲面表示装置の実現方法は、主に以下の二つである。１、特定の弧度を有する支柱ロックが背板に添えられ、背板の湾曲を強制的に支柱の弧度と同じにする。２、背板上に直接曲面構造を形成する。しかしながら、この二つの方法では、背板を固定の曲率にしか湾曲することができず、前記の二つの方法で形成された表示装置の曲率も固定される。使用者の必要に合わせて曲率を調節したり、平面表示と曲面表示装置を切り換えたりすることができず、視角がどうしても制限される。
【０００６】
バイメタルは、二つの（または複数の）熱膨張率が異なる金属または合金構成要素の層をしっかりと貼り合わせたラミネート材であり、そのうち一つの構成要素の層は熱膨張率が低めの受動層で、もう一つの構成要素の層は熱膨張率が高めの能動層であり、能動層と受動層はどちらも内部抵抗値が高めである。バイメタルに電気を通すと、能動層と受動層は迅速に大量の熱を発生して温度が上昇し、能動層の熱膨張による変形が受動層の熱膨張による変形よりも明らかに大きくなることで、バイメタルが受動層の一側に湾曲する。バイメタルの熱感度から考えて、温度を制御することによってバイメタルの湾曲の変形具合の特性を制御することができ、バイメタルを液晶表示装置の背板の製作に使用することができる。背板の曲率を制御することによって、曲面液晶表示装置の曲率調節または平面表示と曲面表示の切り替えを実現することができる。しかし、図１に示すように、現在あるバイメタル製の曲率調節可能な背板には欠点がある。液晶表示装置の長さと幅が大きめで、バイメタル製の背板１０のアスペクト比Ｌ'／Ｗ'が小さめであるため、前記背板１０が熱を受けて湾曲変形する過程で各方向に目立つ湾曲変形が生じてしまい、曲面液晶表示装置は正確に曲率調節することができず、あらかじめ設定された湾曲状態にすることができない。
【発明の概要】
【発明が解決しようとする課題】
【０００７】
また、本発明は、背板の曲率を正確に調節することができるとともに、背板変形時の応力解放に有用で、背板を更に変形しやすくする、曲率調節可能な背板を提供することを目的とする。
【０００８】
また、本発明は、さらに、液晶表示装置の曲率を簡単にまた正確に調節でき、使用者が見る時に、異なるニーズに合わせて必要な液晶状態にでき、製品の市場魅力度を向上することができる、前記曲率調節可能な背板を備える液晶表示装置を提供することを目的とする。    
【課題を解決するための手段】
【０００９】
上述の目的を達成するために、本発明は、まず曲率調節可能な背板を提供する。前記曲率調節可能な背板は、底板を備え、前記底板の材料はバイメタルであり、前記底板の縁の長手方向または幅方向には複数の切れ目／割れ目が設けられ、前記複数の割れ目を通して前記底板部のアスペクト比を高くすることができる。
【００１０】
各切れ目はどれも細長く、互いに平行している。
【００１１】
前記切れ目のアスペクト比が１０対１以上である。
【００１２】
前記切れ目の幅は５ミリ以下で、各切れ目はどれも細長い長方形である。
【００１３】
前記複数の切れ目は、複数列に配列され、複数列の前記切れ目は互いに平行している。本発明は、液晶ディスプレイ装置を提供し、前記液晶ディスプレイ装置は、背板と、前記背板内に設けられる光学部材と、前記背板内に設けられるバックライトと、プラスチックのフレーム上に設けられる液晶パネルと、プラスチックのフレームに液晶パネルを固定しているフロントフレームと、からなる。前期背板は、底板を備え、前期底板の材料はバイメタルであり、前期底板の縁には長手方向または幅方向に複数の切れ目が設けられ、前期複数の切れ目によって前期底板部のアスペクト比が高くなる。
【００１４】
各切れ目はどれも細長く、互いに平行している。
【００１５】
前記切れ目のアスペクト比が１０対１以上である。
【００１６】
前記切れ目の幅は５ミリ以下で、各切れ目（１１）はどれも細長い長方形である。
【００１７】
前記複数の切れ目は複数列に配列され、複数列の切れ目は互いに平行している。
【発明の効果】
【００１８】
本発明の曲率調節可能な背板は、バイメタル製の底板上に設けられた複数の切れ目、しかも前記底板の長手方向または幅方向に沿って設けられた複数の切れ目によって、前記底板部のアスペクト比を高くすることができ、前記曲率調節可能な背板が湾曲変形する時、切れ目の長手方向沿いの湾曲度が切れ目の幅方向沿いの湾曲度よりかなり大きくなることで、背板の曲率を比較的正確に調節することができるとともに、背板変形時の応力解放に有用で、背板を更に変形しやすくすることができる。本発明の液晶表示装置は
前記曲率調節可能な背板を備えるため、液晶表示装置の曲率を簡単にまた正確に調節することができ、使用者が見る時に、異なるニーズに合わせて必要な液晶状態にすることができ、製品の市場魅力度を向上することができる。    
【図面の簡単な説明】
【００１９】
以下に図と組み合わせて、本発明の具体的な実施方法を述べることによって、本発明の技術案及びその他の有利な効果を更に明らかにする。  
【図１】本発明における現在あるバイメタル製の曲率調節可能な背板の湾曲状態を示した図である。
【図２】本発明における曲率調節可能な背板の実施例１の平面状態を示した図である。
【図３】本発明における曲率調節可能な背板の実施例１の湾曲状態を示した図である。
【図４】本発明における曲率調節可能な背板の実施例２の湾曲状態を示した図である。
【図５】本発明における曲率調節可能な背板の実施例３の湾曲状態を示した図である。
【図６】本発明における背板を備える液晶表示装置の構造を示した図である。
【発明を実施するための形態】
【００２０】
本発明が採用した技術手段及びその効果をさらに詳しく説明するため、以下に本発明の好ましい実施例及び図を添えて詳細する。
【００２１】
図２と図３は、本発明の曲率調節可能な背板の実施例１である。前記曲率調節可能な背板は、底板１を備え、底板１はバイメタル製である。バイメタルは、熱膨張率が異なる金属または合金構成要素の層をしっかりと貼り合わせたラミネート材であり、そのうち一つの構成要素の層は熱膨張率が低めの受動層で、もう一つの構成要素の層は熱膨張率が高めの能動層であり、能動層と受動層はどちらも内部抵抗値が高めである。具体的には、前記能動層の材料には、真鍮、ニッケル、Ｆｅ−Ｎｉ−Ｃｒ合金、Ｆｅ−Ｎｉ−Ｍｎ合金、Ｍｎ−Ｎｉ−Ｃｕ合金が使われ、前記受動態の材料には、ニッケル３４％〜５０％を含むインバ―合金が使われる。
【００２２】
前記実施例１において、底板１にはその長手方向に沿って複数の切れ目１１が設けられ、切れ目１１はどれも細長い形をしている。複数の切れ目１１は互いに平行しており、底板１を複数の長さＬ１と幅Ｗ１の二つの部分に分け、底板部１のアスペクト比Ｌ１／Ｗ１を高くする。
【００２３】
さらに、切れ目１１のアスペクト比Ｌ／Ｗは１０対１以上であり、切れ目１１の幅は５ミリ以下であることが好ましく、切れ目１１はそれぞれ細長い長方形である。
【００２４】
図２に示すように、曲率調節可能な背板に電気を通していないとき、底板１は平面状態になり、前記曲率調節可能な背板は平面状の背板として使用することができる。
【００２５】
図３に示すように、曲率調節可能な背板に電気を通すと、底板１はバイメタル製であるため、能動層と受動層が迅速に大量の熱を発生して温度が上昇し、能動層の熱膨張による変形が受動層の熱膨張による変形よりも明らかに大きくなることで、底板１が受動層の一側に湾曲する。また、切れ目１１が底板１を複数の長さＬ１と幅Ｗ１の二つの部分に分けるため、底板１の一部のアスペクト比Ｌ１／Ｗ１が高くなることによって、前記曲率調節可能な背板は、切れ目１１の長手方向沿いの湾曲度が切れ目１１の幅方向沿いの湾曲度よりかなり大きくなることで、各方向に均一に目立つ湾曲変形が生じるのを防止することができる。それによって、曲率調節可能な背板は、底板１の長手方向に向かって湾曲し、あらかじめ設定された湾曲状態にすることができ、背板の曲率を比較的正確に調節することができる。
【００２６】
曲率調節可能な背板への電気を止めると、前記曲率調節可能な背板は、徐々に図２に示した平面状態に戻る。
【００２７】
重要な点として、前記曲率調節可能な背板が湾曲変形するまたは平面に戻る過程において、複数の切れ目１１は弾性緩和を発生させるため、曲率調節可能な背板の変形時の応力解放に有用で、背板を更に変形しやすくすることができる。
【００２８】
図４は、本発明の曲率調節可能な背板の実施例２である。実施例２と実施例１の違いは、複数の切れ目１１'が複数列に配列され、複数列の切れ目１１'は互いに平行しており、更に製造しやすいことである。その他は実施例１と同じであるため、ここでは贅言しない。
【００２９】
図５は、本発明の曲率調節可能な背板の実施例３である。実施例３と実施例１の違いは、底板１の幅方向に沿って切れ目１１''が複数設けられていることである。
【００３０】
前記実施例３において、曲率調節可能な背板に電気を通すと、曲率調節可能な背板の切れ目１１''の長手方向への湾曲度が切れ目１１''の幅方向への湾曲度よりかなり大きくなることで、各方向に均一に目立つ湾曲変形が生じるのを防止することができる。それによって、曲率調節可能な背板は、底板１の幅方向に向かって湾曲し、あらかじめ設定された湾曲状態にすることができ、背板の曲率を比較的正確に調節することができる。
【００３１】
もちろん、複数の切れ目１１''を、互いに平行する複数列に配列することもできる。
【００３２】
その他は実施例１と同じであるため、ここでは贅言しない。
【００３３】
図６と、図２から図５を参照する。本発明は、曲率調節可能な背板を備える液晶表示装置を提供し、前記液晶表示装置は、背板１００と、背板１００内に設けられた光学部材２００と、背板１００内に設けられたバックライト４００と、バックライト４００の上方に設けられたプラスチックフレーム６００と、プラスチックフレーム６００上に設けられた液晶パネル７００と、液晶パネル７００をプラスチックフレーム６００上に固定しているフロントフレーム８００と、からなる。背板１００は、底板１を備え、底板１はバイメタル製である。底板１は長手方向または幅方向に沿って切れ目１１を複数設け、複数の切れ目１１が底板１の一部のアスペクト比Ｌ１／Ｗ１を高くすることで、背板１００の曲率を正確に調節することができる。
【００３４】
具体的には、切れ目１１はどれも細長く、互いに平行している。
【００３５】
切れ目１１のアスペクト比Ｌ／Ｗは１０対１以上であり、切れ目１１の幅は５ミリ以下であることが好ましく、切れ目１１はそれぞれ細長い長方形である。
【００３６】
曲率調節可能な背板の実施例１で上述したように、背板１００は、底板１に長手方向に沿って切れ目１１が複数設けられる。背板１００に電気を通すと、背板１００は、切れ目１１の長手方向沿いの湾曲度が切れ目１１の幅方向沿いの湾曲度よりかなり大きくなることで、各方向に均一に目立つ湾曲変形が生じるのを防止することができる。それによって、背板１００は、底板１の長手方向に向かって湾曲し、あらかじめ設定された湾曲状態にすることができ、背板１００の曲率を比較的正確に調節することができるとともに、背板１００の曲率を比較的正確に調節することによって、簡単に、また正確に液晶表示装置の曲率を調節することができる。
【００３７】
曲率調節可能な背板の実施例２で上述したように、背板１００でも、切れ目１１'が複数列に配列され、複数列の切れ目１１'は互いに平行している。
【００３８】
曲率調節可能な背板の実施例３で上述したように、背板１００は、底板１の幅方向に沿って切れ目１１''が複数設けられている。背板１００に電気を通すと、背板１００の切れ目１１''の長手方向への湾曲度が切れ目１１''の幅方向への湾曲度よりかなり大きくなることで、各方向に均一に目立つ湾曲変形が生じるのを防止することができる。それによって背板１００は、底板１の幅方向に向かって湾曲し、あらかじめ設定された湾曲状態にすることができ、背板１００の曲率を比較的正確に調節することができるとともに、背板１００の曲率を比較的正確に調節することによって簡単に、また正確に液晶表示装置の曲率を調節することができる。
【００３９】
要約すると、本発明の曲率調節可能な背板は、バイメタル製の底板上に設けられた複数の切れ目、しかも底板の長手方向または幅方向に沿って設けられた複数の切れ目によって、底板部のアスペクト比を高くすることができる。曲率調節可能な背板が湾曲変形する時、切れ目の長手方向沿いの湾曲度が切れ目の幅方向沿いの湾曲度よりかなり大きくなることで、背板の曲率を比較的正確に調節することができるとともに、背板変形時の応力解放に有用で、背板を更に変形しやすくすることができる。本発明の液晶表示装置は、曲率調節可能な背板を備えるため、液晶表示装置の曲率を簡単にまた正確に調節することができ、使用者が見る時に、異なるニーズに合わせて必要な液晶状態にすることができ、製品の市場魅力度を向上することができる。    
【００４０】
上述は、本領域の一般の技術者からすると、本発明の技術案と技術構想に基づいてその他の各種対応する変化や変形を作り出すことができるため、変化や変形は全て本発明の特許請求範囲に属するものとする。
【符号の説明】
【００４１】
１    底板
１１  切れ目
１００  背板
２００  光学部材
４００  バックライト
６００  プラスチックフレーム
７００  液晶パネル
８００  フロントフレーム
【図１】
0006345278.tif 000002
【図２】
0006345278.tif 000003
【図３】
0006345278.tif 000004
【図４】
0006345278.tif 000005
【図５】
0006345278.tif 000006
【図６】
0006345278.tif 000007